(57)【要約】【課題】  主要構成部材に加工を加えずに、可動妻垂木の垂木掛け及び端枠に対する離間接近方向の移動を可能にする。【解決手段】  垂木掛け１０の端部に装着される第１キャップ４０と前桁２０又は端枠の端部に装着される第２キャップ５０とに、垂木掛けと前桁又は端枠の同一側端部に結合される妻垂木３０の中空部に挿入されて、妻垂木の垂木掛け及び前桁又は端枠の端部に対して離間する方向と接近する方向の移動量を一定範囲に規制する移動量規制部４９，５７を設けた。【選択図】      図１
2005083016.tif 000002
【特許請求の範囲】
【請求項１】
垂木掛けと前桁又は端枠と各垂木との間にパネルを嵌合載置し、各垂木に止着されるパネル押さえにより前記パネルを固定する屋根において、
前記垂木掛けの長手方向端部に装着される第１キャップと前記前桁又は端枠の長手方向端部に装着される第２キャップとに、互いに対向する方向に突出し、前記垂木掛けと前記前桁又は端枠の同一側端部に結合される垂木（妻垂木）の中空部に挿入されて、前記妻垂木の前記垂木掛け及び前記前桁又は端枠の端部に対して離間する方向と接近する方向の移動量を一定範囲に規制する移動量規制部を設けたことを特徴とする屋根。
【請求項２】
第１キャップの移動量規制部及び第２キャップの移動量規制部は、妻垂木を垂木掛け及び前桁又は端枠の端部から離間する方向に移動したときには第１の所定位置に停止する面及び同方向に移動された妻垂木を支持する面と、前記妻垂木を垂木掛け及び前桁又は端枠の端部に接近する方向に移動したときには第２の所定位置に停止する面とを有することを特徴とする請求項１に記載の屋根。
【発明の詳細な説明】
【技術分野】
【０００１】
本発明は、バルコニー、テラス又はカーポートなどに設置される屋根、とくにパネルの取付け構造に関する。
【背景技術】
【０００２】
バルコニー、テラス又はカーポートなどに、図８に概略的に示すように、垂木掛け１と端枠２と各垂木３ｅ1 ，３ｍ1 ，３ｍ2 〜３ｍ4 ，３ｅ2 の間にパネル４1 〜４5 を嵌合載置し、各垂木に止着されるパネル押さえ（図示省略）によりパネルを固定する構造の屋根が設置される例が増えてきた。図８において５は支柱、６はその支柱の上端部間に掛け渡され、各垂木を支持する前桁である。端枠２は前桁６に取って代わられる場合もある。  
【０００３】
上記構造の往時の屋根は、垂木掛け１の端部と端枠２（又は前桁。以下、同じ。）の端部間に掛け渡される垂木（妻垂木）３ｅ1 ，３ｅ2 は、中間の垂木３ｍ1 〜３ｍ4 と同様に垂木掛け１と端枠２にねじやボルトナットなどで固定された固定垂木であった。
【０００４】
そのため、一端部の妻垂木３ｅ1 とこれに隣接する垂木３ｍ1 の間に取付けられる最初のパネル４1 から他端部の妻垂木３ｅ2 とこれに隣接する垂木３ｍ4 の間に取付けられる最後のパネル４5 の一つ前のパネル４4 までは、作業者が隣接する垂木の間に順次入り込んでパネルを順次持ち上げ、垂木掛け１と端枠２と隣り合う垂木との間に嵌合載置し、パネル押さえにより固定することができるが、最後のパネル４5 の取付け時には作業者は体を軸組の外側に乗り出して作業をしなければならないため、バルコニーなどの屋根設置場所によっては作業が繁雑困難であったり、危険を伴うなどの問題があったことから、このような問題を解消する試みとして、一方の妻垂木３ｅ2 を垂木掛け１及び端枠２から離間接近する方向に移動可能に取付けて可動妻垂木とすることにより、最後のパネルの取付け時にはその可動妻垂木３ｅ2 を離間した状態で最後のパネルを所定位置に保持し、再び可動妻垂木３ｅ2 を所定位置に戻してパネル押さえによりパネルを固定するようにした屋根が提案された（特許文献１参照）。
【特許文献１】特開２０００−８５２７号公報
【０００５】
この提案に係る屋根は、図９に垂木掛け側の部分のみを示すように、垂木掛け１の一端部に長孔１ｈを形成し、その下側に備えた裏板７の孔に貫通したねじ８を長孔１ｈに貫通して垂木掛け１の端部にその長手方向に摺動自在に嵌合した可動妻垂木３ｅ2 の下壁にねじ込むことにより、可動妻垂木３ｅ2 を垂木掛け１に対して離間接近する方向に移動可能に取付け、また、図示されていないが、端枠の一端部にも同様の構造を備えて、すなわち、端枠に長孔を形成し、その下側に備えた裏板の孔に貫通したねじをその長孔に貫通して端枠の端部にその長手方向に摺動自在に嵌合した可動妻垂木の下壁にねじ込むことにより、可動妻垂木３ｅ2 を端枠２に対して離間接近する方向に移動可能に取付けるものである。
【発明の開示】
【発明が解決しようとする課題】
【０００６】
しかしながら、上記先行技術は、可動妻垂木を垂木掛け及び端枠に対して離間接近する方向に移動可能に取付けるために、垂木掛けと端枠の双方に長孔を設け、可動妻垂木の長手方向両端部にねじ孔を設けるための加工が必要であり、また、可動妻垂木を垂木掛け及び端枠から離間する際は、裏板に貫通したねじのうち少なくとも１本を外して保管し、パネル装着後に再びねじ込む煩わしさがある。さらに、この先行技術においては、垂木掛け及び端枠から離間する方向に移動された可動妻垂木が不安定な状態に置かれるため、パネルの装着を円滑に行うことができないという難点がある。
【０００７】
本発明は、上記の点に鑑みてなされたものであり、第１の課題は、可動妻垂木、垂木掛け及び端枠などの主要構成部材に対する加工を必要とすることなく、可動妻垂木の垂木掛け及び端枠に対する離間接近方向の移動を行うことができるようにした屋根を提供することにある。
第２の課題は、特別の付加構成を要することなく可動妻垂木の垂木掛け及び端枠に対する離間接近方向の移動を簡単に行うことができ、かつ、離間方向に移動した後の可動妻垂木が安定して支持されるようにすることにある。
【課題を解決するための手段】
【０００８】
上記第１の課題を解決するため、本発明は、垂木掛けと端枠と各垂木との間にパネルを嵌合載置し、各垂木に止着されるパネル押さえにより前記パネルを固定する屋根において、前記垂木掛けの長手方向端部に装着される第１キャップと前記前桁又は端枠の長手方向端部に装着される第２キャップとに、互いに対向する方向に突出し、前記垂木掛けと前記端枠の同一側端部に結合される妻垂木の中空部に挿入されて、前記妻垂木の前記垂木掛け及び前記端枠の端部に対して離間する方向と接近する方向の移動量を一定範囲に規制する移動量規制部を設けたことを特徴としている。
【０００９】
また、第２の課題を解決するため、第１キャップの移動量規制部及び第２キャップの移動量規制部は、妻垂木を垂木掛け及び端枠から離間する方向に移動したときには第１の所定位置に停止する面及び同方向に移動された妻垂木を支持する面と、前記妻垂木を垂木掛け及び端枠の端部に接近する方向に移動したときには第２の所定位置に停止する面とを有することを特徴としている。
【発明の効果】
【００１０】
請求項１の発明は、垂木掛けの長手方向端部に装着される第１キャップと端枠の長手方向端部に装着される第２キャップとに、互いに対向する方向に突出し、前記垂木掛けと前記端枠の同一側端部に結合される妻垂木の中空部に挿入されて、前記妻垂木の前記垂木掛け及び前記端枠の端部に対して離間する方向と接近する方向の移動量を一定範囲に規制する移動量規制部を設けたので、妻垂木の長手方向両端部を垂木掛け及び端枠から離間する方向に移動すると、移動量規制部により所定位置に停止され、その妻垂木とこれに隣接する垂木の間からパネルを持ち上げ、パネルの所定固定位置に仮固定した状態で妻垂木を原位置に復帰させてそのパネルの周縁を垂木掛け、端枠、妻垂木及び垂木に嵌合載置し、パネル押さえにより本固定することができる。
【００１１】
また、請求項２の発明は、第１キャップの移動量規制部及び第２キャップの移動量規制部が、妻垂木を垂木掛け及び端枠から離間する方向に移動したときには第１の所定位置に停止する面及び同方向に移動された妻垂木を支持する面と、前記妻垂木を垂木掛け及び端枠の端部に接近する方向に移動したときには第２の所定位置に停止する面とを有するので、妻垂木を垂木掛け及び端枠から離間する方向に移動したときは、第１キャップ及び第２キャップの移動量規制部により所定位置に停止され、かつ、安定した状態で支持される。従って、パネルの持ち上げ及びパネル載置部への仮固定を円滑にかつ安定して行うことができる。また、パネルの持ち上げの後、妻垂木を垂木掛け及び端枠に接近する方向に移動したときは、パネルの周縁が固定可能な位置に停止される。従って、パネル押さえにより円滑にパネルを本固定することができる。
【発明を実施するための最良の形態】
【００１２】
次に、図面に基づいて本発明の実施の形態について説明する。
図１は垂木掛けと可動妻垂木と前桁の結合部分を示す一部省略平面図、図２は図１のＡ−Ａ線断面図、図３は垂木掛けに装着されるキャップ（第１キャップ）の斜視図、図４は前桁に装着されるキャップ（第２キャップ）の斜視図、図５は図１のＢ−Ｂ線断面図であって、（ａ）は妻垂木が垂木掛けから離間する方向に第１の所定位置まで移動された状態を示し、（ｂ）は妻垂木が垂木掛けに接近する方向に第２の所定位置まで移動された状態を示す。図６は図１のＣ−Ｃ線断面図であって、（ａ）は妻垂木が前桁から離間する方向に第１の所定位置まで移動された状態を示し、（ｂ）は妻垂木が前桁に接近する方向に第２の所定位置まで移動された状態を示す。図７は図１のＤ−Ｄ線に対応する位置における断面図である。
【００１３】
図１において１０は垂木掛け、２０は図８の端枠２に相当する前桁、３０は図８の妻垂木３ｅ2 に相当する妻垂木である。垂木掛け１０は、図２に示すように、前桁２０と反対側に存在する垂直壁１１と、その垂直壁の上端部から前桁方向に延びる上面壁１２と、上面壁の中間位置から垂下し、下端部に弾性水密部材ｂを嵌着された上側突縁１３と、垂直壁１１の中間位置から前桁方向に延び、上側突縁１３に対向して設けられた下側突縁からなるパネル載置部１４と、垂木掛けの下端部に上面壁１２と平行に前桁方向に延出する下面壁１５とを有し、上下の突縁１３，１４の間に前桁２０方向に開口するパネル６０の一端縁を挿入するためのパネル挿入溝１６が形成されている。また、垂木掛け１０には、その上下方向に隔たられた２か所に、図示の例では、垂直壁１１の上部と上面壁１２の一部とパネル載置部１４との間、及び垂直壁１１の下部と下面壁１５との間にそれぞれ第１キャップを垂木掛け１０の長手方向に摺動自在に嵌合するための空隙１７，１８が形成されている。
【００１４】
図１の前桁２０は、図示されていない支柱の上端部に結合されるものであるが、支柱に支持されない場合は、この前桁は端枠に相当することは上述した通りである。図示の前桁２０は、垂木掛け１０側の上部にパネル６０の他端縁を載置するためのパネル載置部２１が備えられ、そのパネル載置部よりも垂木掛けと反対側にそのパネルの他端縁を飲み込む断面ほぼ横転Ｊ字形の受け部２２が設けられている。受け部２２の中間位置からさらに垂木掛けと反対側に隔てられた位置までほぼＵ字形に連続して、受け部２２に端縁が収容されたパネルの上面から流出する雨水を受けるための雨樋部２３が形成されている。
【００１５】
図１の可動垂木である妻垂木３０は、図５及び図６に示すように、中空部３１を有する筒状に形成され、その上面壁３２の他方の妻垂木側部分にパネル載置部３３が形成され、パネル載置部よりも他方の妻垂木から遠い側にねじ受け溝３４が形成されている。また、妻垂木の底壁３５は、他方の妻垂木側に延出されて、その延出部分により妻垂木３０を垂木掛け１０及び前桁２０にねじ止めするための結合縁３６が形成されている。
【００１６】
上記可動妻垂木３０は屋根の軸組に対するパネル取付けの際に最後のパネルが取付けられる側に取付けられるが、最初のパネルが取付けられる側にも、図７に示すように、可動妻垂木３０と同一構造の妻垂木３０Ｅが反対向きに設置され、垂木掛け１０の他端部及び前桁２０の他端部に従来と同様に結合縁３６に貫通したねじＳ1 を垂木掛け１０及び前桁２０にねじ込んで固着される。すなわち、妻垂木３０Ｅは固定妻垂木である。また、垂木掛け１０及び前桁２０の可動妻垂木３０と反対側の端部には、垂木掛け及び前桁の小口を閉塞するための従来のキャップ５０Ｅ（前桁キャップは示されていない。）が装着され、ねじＳ2 により固定される。
【００１７】
これに対して、垂木掛け１０及び前桁２０の可動妻垂木３０が結合される側の一端部に装着されるキャップ４０，５０には、可動妻垂木３０の垂木掛け１０及び前桁２０の長手方向の移動を可能にし、その移動量を一定の距離範囲で規制する移動量規制部４９，５７が新たに設けられている。これについて、垂木掛け用キャップ（第１キャップ）４０と前桁用キャップ（第２キャップ）５０とに分けて詳細に説明する。
【００１８】
第１キャップ４０は、図３に例示するように、常に垂木掛けの端部からその延長上に突出する突出部分４１と、その突出部分から垂木掛け方向に延出し、垂木掛けの前記空隙１７，１８に挿入されて第１キャップ４０を垂木掛けに安定して保持するための挿入部４２，４３が設けられている。突出部分４１は垂木掛け１０と近似の外観を備えるため、垂木掛け１０とほぼ同一の断面形状を有している。
また、突出部分４１の上端部には垂木掛け方向と可動妻垂木方向に延出する上面壁４４を、突出部分４１の下端部には上面壁４４と平行に可動妻垂木方向に延出する下面壁４５を一体に有し、上面壁４４及び下側の挿入部４３の垂木掛け側端部にこれらを垂木掛け１０に固着するねじＳ2 を貫通するための孔４６，４７が形成されている。
突出部分４１の可動妻垂木側の壁面４８と下面壁４５は、後述されるように可動妻垂木３０を垂木掛け１０及び前桁２０から離間接近方向に移動する際にこれを円滑に案内する機能を果たす。
【００１９】
さらに、第１キャップ４０の突出部分４１の可動妻垂木側の壁面４８には、垂木掛け１０から離れた位置において可動妻垂木３０の方向に突出する移動量規制部４９が設けられている。この移動量規制部４９は、材料節減のために断面Ｌ字形に形成されているが、次の３つの面を備えていれば、その断面形状は任意である。３つの面とは、垂木掛け１０及び前桁２０から離間する方向に移動される可動妻垂木３０を第１の所定位置に停止する面ｆ1 、離間された状態の可動妻垂木３０を安定状態で支持する面ｆ2 、垂木掛け及び前桁に接近する方向に移動される可動妻垂木３０を第２の所定位置に停止する面ｆ3 である。従って、移動量規制部４９は断角筒状又は角棒状のいずれでもよい。あるいは、実質的にこれらの形状の輪郭に沿って配置されたピンで構成されてもよい。
【００２０】
第２キャップ５０は、図２及び図４に例示するように、前桁２０の長手方向端面を被覆する端面壁５１と、前桁２０の雨樋部２３とほぼ相似形の断面形状を有する溝部５２と、その溝部の端面壁５１と反対側部分の外周を肉取りして形成され、前桁２０の雨樋部２３の内壁面に密着して摺動嵌合される挿入部５３と、端面壁５１及び溝部５２の垂木掛け側の部分から前桁方向に延出し、前桁のパネル受け部２２に載せて固着するための結合部５４とを有し、その結合部にねじを貫通する孔５５が形成されている。
さらに、第２キャップ５０の可動妻垂木側にその可動妻垂木の長手方向端面を当接させて案内する壁面５６が設けてある。そして、この発明に基づき、その壁面５６の端面壁５１と共通の面に近い側おいて可動妻垂木方向に突出する移動量規制部５７が設けられている。この移動量規制部５７も、垂木掛けの移動量規制部４９と同様の作用をする３つの面を有すれば、その形状は任意である。その３つの面とは、垂木掛け１０及び前桁２０から離間する方向に移動される可動妻垂木３０を第１の所定位置で停止する面ｆ1 、離間された状態の可動妻垂木３０を安定状態で支持する面ｆ2 、垂木掛け１０及び前桁２０に接近する方向に移動された可動妻垂木３０を第２の所定位置に停止する面ｆ3 である。
【００２１】
両側の妻垂木３０，３０Ｅ以外の中間の垂木３０ｍは、図７に示すように、ほぼ角筒状に形成され、その下端面から両側に延出する結合縁３６´を有し、上端面の中央には妻垂木３０のねじ受け溝３４と同一断面形状のねじ受け溝３４´が形成され、そのねじ受け溝の両側に妻垂木３０のパネル載置部３３と同一断面形状のパネル載置部３３´が形成されている。
こうして、各中間の垂木３０ｍはその長手方向一端部を垂木掛け１０の底壁１５の上面に載置されて、その底壁の下方から貫通したねじＳ1 を垂木の結合縁３６´にねじ込むことにより垂木掛け１０に結合され、また、長手方向他端部を前桁２０の底壁２４の上面に載置され、その底壁の下方から貫通したねじＳ1 を垂木の結合縁３６´にねじ込むことにより前桁２０に結合されている。なお、前桁のパネル載置部２１は、垂木３０ｍを結合する部位においては切除されて、垂木の前桁側端部の底壁２４への載置及び雨樋部２３の垂木側の壁面への密着が可能とされている。
【００２２】
上記のように構成された屋根の軸組には、パネル６０が次のようにして順次取付けられる。すなわち、図７の右端の妻垂木３０Ｅと隣りの垂木３０ｍ1 の間には、その下方からパネル６０1 が持ち上げられ、後述されるパネル押さえ７０が未装着の状態でそのパネルの上端縁を垂木掛け１０のパネル挿入溝１６内に挿入し、次にそのパネルの下端縁を前桁２０のパネル載置部２１に載置し、同時にパネルの両側縁を妻垂木３０Ｅと垂木３ｍ1 の対向するパネル載置部３３，３３´に載置する。続いて、そのパネルを前桁方向に移動して、パネルの下端縁をパネル受け部２２内に挿入させる。すなわち、けんどん式でパネルを所定の固定位置、さらに詳しくはパネルの周縁がすべて垂木掛け１０と両側の垂木３０Ｅ，３０ｍ1 と前桁２０のそれぞれのパネル載置部４１，３３，３３´，２１に正確に載置される位置（所定固定位置）に位置付ける。
【００２３】
以下、最後のパネル６０ｅの一つ前までのパネルが同じ要領で順次垂木掛けと前桁と両側の垂木との間に持ち上げられ嵌合されて、その周縁がそれぞれのパネル載置部に載置される。そして、最後のパネル６０ｅを取付ける場合は、可動妻垂木３０を垂木掛け１０及び前桁２０に固定しているねじＳ1 を一時取り外し、パネル押さえ８０が未装着の状態の可動妻垂木３０を図５（ａ）及び図６（ａ）に示すように、垂木掛け１０及び前桁２０からその長手方向に離間する方向（図１及び図５，６においてＲ矢方向）に移動量規制部４９，５７によりそれぞれ第１の所定位置に停止されるまで移動する。第１の所定位置とは、移動された可動妻垂木３０とこれに隣接する垂木との間に、それらの垂木の間からパネル６０を持ち上げ、そのパネルの上端縁を垂木掛け１０のパネル挿入溝１６に挿入し、同パネルの下端縁を前桁２０のパネル載置部２１に載置し、さらに同パネルの垂木側の一側端縁をその垂木のパネル載置部に載せることを可能にする間隔が確保される位置である。  
【００２４】
上述のように最後のパネルを持ち上げ、その上端縁と下端縁と一側端縁をそれぞれパネル載置部に載置した状態に保持したまま、可動妻垂木３０を原位置に復帰する。すなわち、可動妻垂木３０を垂木掛け１０及び前桁２０に接近する方向（図１及び図５，６においてＦ矢方向）に再び移動量規制部４９，５７により第２の所定位置に停止されるまで移動する。その際に、まだ自由状態にあったパネル６０ｅの残りの側縁を妻垂木３０のパネル載置部３３に載置させる。すなわち、第２の所定位置とは、最後のパネルの他側縁が妻垂木３０のパネル載置部３３に載置される位置である。可動妻垂木３０を原位置に復帰した後は、最後のパネルを前桁２０方向に移動して、そのパネルの下端縁を前桁２０のパネル受け部２２に収容させる。これにより、すべてのパネル６０1 ，６０2 〜６０ｅが所定の固定位置に位置付けられる。
【００２５】
最後に、作業者が軸組の上に載り、すべての垂木の上面にパネル押さえ７０を配設し、そのパネル押さえに貫通したねじＳ3 を各垂木のねじ受け溝３４にねじ込むことにより、パネルが所定の固定位置に固定され、屋根が完成する。なお、パネル押さえ７０はねじ貫通部の両側下面に弾性水密部材７１を嵌着できるあり溝を備えた、すべて同一の断面形状を有する１種類を用いることにより、コスト低減が図られている。
【００２６】
上記のように最後のパネル６０ｅは、可動妻垂木３０を第１キャップ４０及び第２キャップ５０に設けた移動量規制部４９，５７により円滑に案内して垂木掛け１０及び前桁２０から離間する方向に第１の所定位置まで及びこれらに接近する方向に第２の所定位置まで移動し、パネル押さえ７０により固定することにより、簡単に所定位置に嵌合載置して固定することができるので、屋根の設置位置に関わりなく安全迅速にパネルの取付けが可能である。
【図面の簡単な説明】
【００２７】
【図１】本発明の一実施例における垂木掛けと可動妻垂木と前桁の結合部分を示す一部省略平面図。
【図２】図１のＡ−Ａ線断面図。
【図３】図３は垂木掛けに装着される第１キャップの斜視図。
【図４】前桁に装着される第２キャップの斜視図。
【図５】図１のＢ−Ｂ線断面図。（ａ）は妻垂木が垂木掛けの所定位置に結合される時の位置関係を示し、（ｂ）は妻垂木を垂木掛けから離間した状態の位置関係を示す。
【図６】図１のＣ−Ｃ線断面図。（ａ）は妻垂木が垂木掛けの所定位置に結合される時の位置関係を示し、（ｂ）は妻垂木を垂木掛けから離間した状態の位置関係を示す。
【図７】本発明による屋根の図１のＤ−Ｄ線に対応する位置における断面図。
【図８】従来の屋根の一例の斜視図。
【図９】可動妻垂木を用いる従来技術を示す要部分解斜視図。
【符号の説明】
【００２８】
１０    垂木掛け
２０    前桁
３０    可動妻垂木
４０    第１キャップ（垂木掛けキャップ）
４９    移動量規制部
５０    第２キャップ（前桁キャップ）
５７    移動量規制部
６０（６０1 ，６０2 ，〜６０ｅ）  パネル
７０    パネル押さえ
【図１】
2005083016.tif 000003
【図２】
2005083016.tif 000004
【図３】
2005083016.tif 000005
【図４】
2005083016.tif 000006
【図５】
2005083016.tif 000007
【図６】
2005083016.tif 000008
【図７】
2005083016.tif 000009
【図８】
2005083016.tif 000010
【図９】
2005083016.tif 000011